(57)【要約】      （修正有）【課題】椅子の背もたれ組立体であって、長手方向伸展性対横方向伸展性の比を有する弾性材料を含む、カバーを備える、椅子の背もたれ組立体を提供する。【解決手段】横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェル部材、並びに着座した使用者を支持するようになっている第１の面、及び、該第１の面とは反対の第２の面を有するカバーであって、前記背もたれシェル部材にわたって位置決めされて前記開口スペースの少なくとも一部を覆い、少なくとも３：１の長手方向伸展性対横方向伸展性の比を有する弾性材料を含む、カバーを備える、椅子の背もたれ組立体。【選択図】図４５
2018153686.tif 000002
【特許請求の範囲】
【請求項１】
椅子の背もたれ組立体であって：
横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェル部材；並びに
着座した使用者を支持するようになっている第１の面、及び、該第１の面とは反対の第２の面を有するカバーであって、前記背もたれシェル部材にわたって位置決めされて前記開口スペースの少なくとも一部を覆い、少なくとも３：１の長手方向伸展性対横方向伸展性の比を有する弾性材料を含む、カバー
を備える、椅子の背もたれ組立体。
【請求項２】
前記比は少なくとも１０：１である、請求項１に記載の椅子の背もたれ組立体。
【請求項３】
前記背もたれシェル部材は、その長さに沿って前後方向に可撓性である、請求項１又は２に記載の椅子の背もたれ組立体。
【請求項４】
前記カバーはメッシュ生地を含む、請求項１〜３のいずれか一項に記載の椅子の背もたれ組立体。
【請求項５】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項１〜４のいずれか一項に記載の椅子の背もたれ組立体。
【請求項６】
前記背もたれシェル部材は、前記上部、前記底部及び前記側部のうちの少なくとも１つに沿って延びるチャネルを含み、前記リング部材は前記チャネル内に受け入れられる、請求項５に記載の椅子の背もたれ組立体。
【請求項７】
前記チャネルは、前記上部、前記底部及び前記側部に沿って延びる、請求項６に記載の椅子の背もたれ組立体。
【請求項８】
前記リング部材の前記側部のうちの少なくとも１つは、前記角部のうちの少なくとも１つに対して比較的幅広の部分を含み、前記角部のうちの少なくとも１つは、前記リング部材の前記側部のうちの少なくとも１つに対して比較的幅狭の部分を含む、請求項５〜７のいずれか一項に記載の椅子の背もたれ組立体。
【請求項９】
前記リング部材の前記側部のうちの少なくとも１つは、実質的に矩形の断面形態を有する、請求項５〜８のいずれか一項に記載の椅子の背もたれ組立体。
【請求項１０】
前記角部のうちの少なくとも１つは、実質的に円形の断面形態を有する、請求項５〜９のいずれか一項に記載の椅子の背もたれ組立体。
【請求項１１】
前記リング部材の前記側部のうちの少なくとも１つ及び前記角部のうちの少なくとも１つは、前記カバーに縫い付けられる、請求項５〜１０のいずれか一項に記載の椅子の背もたれ組立体。
【請求項１２】
前記背もたれシェル部材を動作可能に支持するとともに直立位置とリクライニング位置との間で移動可能である実質的に剛性の背もたれフレーム組立体を更に備える、請求項１〜１１のいずれか一項に記載の椅子の背もたれ組立体。
【請求項１３】
前記背もたれシェル部材は、前記背もたれフレーム組立体によって回動可能に支持される、請求項１〜１２のいずれか一項に記載の椅子の背もたれ組立体。
【請求項１４】
前記背もたれシェル部材は、前記背もたれフレーム組立体が前記直立位置と前記リクライニング位置との間で回動すると、前後方向に撓む、請求項１２又は１３に記載の椅子の背もたれ組立体。
【請求項１５】
前記背もたれシェル部材の腰部領域が、前記背もたれフレーム組立体が前記直立位置と前記リクライニング位置との間で移動すると、前後方向に移動する、請求項１２〜１４のいずれか一項に記載の椅子の背もたれ組立体。
【請求項１６】
前記カバーは前記背もたれシェル部材にわたって伸張する、請求項１〜１５のいずれか一項に記載の椅子の背もたれ組立体。
【請求項１７】
椅子の構成要素組立体であって：
着座した使用者の一部を支持するようになっている支持構成要素；
第１の面、及び該第１の面とは反対の第２の面を有するメッシュ生地カバー；並びに
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記支持構成要素に固定される、リング部材
を備える、椅子の構成要素組立体。
【請求項１８】
前記支持構成要素は、横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェルフレームを含む、請求項１７に記載の椅子の構成要素組立体。
【請求項１９】
前記カバーは、着座した使用者を支持するようになっている第１の面、及び、該第１の面とは反対の第２の面を含み、前記カバーは、前記背もたれシェル部材にわたって位置決めされて前記開口スペースの少なくとも一部を覆い、少なくとも３：１の長手方向伸展性対横方向伸展性の比を有する弾性材料を含む、請求項１７又は１８に記載の椅子の構成要素組立体。
【請求項２０】
前記比は少なくとも１０：１である、請求項１９に記載の椅子の背もたれ組立体。
【請求項２１】
前記カバーは前記背もたれシェルにわたって伸張する、請求項１７〜２０のいずれか一項に記載の椅子の背もたれ組立体。
【請求項２２】
前記背もたれシェル部材は、その長さに沿って前後方向に可撓性である、請求項１８に記載の椅子の背もたれ組立体。
【請求項２３】
前記背もたれシェル部材は、前記上部、前記底部及び前記側部のうちの少なくとも１つに沿って延びるチャネルを含み、前記リング部材は前記チャネル内に受け入れられる、請求項１８又は２２に記載の椅子の背もたれ組立体。
【請求項２４】
前記チャネルは、前記上部、前記底部及び前記側部に沿って延びる、請求項２３に記載の椅子の背もたれ組立体。
【請求項２５】
前記リング部材の前記側部のうちの少なくとも１つは、前記角部のうちの少なくとも１つに対して比較的幅広の部分を含み、前記角部のうちの少なくとも１つは、前記リング部材の前記側部のうちの少なくとも１つに対して比較的幅狭の部分を含む、請求項１７〜２４のいずれか一項に記載の椅子の背もたれ組立体。
【請求項２６】
前記リング部材の前記側部のうちの少なくとも１つは、実質的に矩形の断面形態を有する、請求項１７〜２５のいずれか一項に記載の椅子の背もたれ組立体。
【請求項２７】
前記角部のうちの少なくとも１つは、実質的に円形の断面形態を有する、請求項１７〜２６のいずれか一項に記載の椅子の背もたれ組立体。
【請求項２８】
前記リング部材の前記側部のうちの少なくとも１つ及び前記角部のうちの少なくとも１つは、前記カバーに縫い付けられる、請求項１７〜２７のいずれか一項に記載の椅子の背もたれ組立体。
【請求項２９】
前記背もたれシェル部材を動作可能に支持するとともに直立位置とリクライニング位置との間で移動可能である実質的に剛性の背もたれフレーム組立体を更に備える、請求項１７〜２８のいずれか一項に記載の椅子の背もたれ組立体。
【請求項３０】
前記背もたれシェル部材は、前記背もたれフレーム組立体によって回動可能に支持される、請求項２９に記載の椅子の背もたれ組立体。
【請求項３１】
前記背もたれシェル部材は、前記背もたれフレーム組立体が前記直立位置と前記リクライニング位置との間で回動すると、前後方向に撓む、請求項２９又は３０に記載の椅子の背もたれ組立体。
【請求項３２】
前記背もたれシェル部材の腰部領域が、前記背もたれフレーム組立体が前記直立位置と前記リクライニング位置との間で移動すると、前後方向に移動する、請求項２９〜３１のいずれか一項に記載の椅子の背もたれ組立体。
【請求項３３】
椅子の背もたれ組立体であって：
実質的に剛性の背もたれフレーム組立体；
背もたれシェル部材であって、前記背もたれフレーム組立体によって動作可能に支持され、横方向に延びる上部、横方向に延びる底部、並びに、前記上部と前記底部との間に延びるとともに該上部及び該底部と協働してそれらの間に開口スペースを画定する、一対の長手方向に延びる側部を含み、該一対の側部は横方向に実質的に剛性であり、該背もたれシェル部材は横方向に実質的に剛性であり、前後方向に実質的に柔軟に弾性である、背もたれシェル部材；並びに
着座した使用者を支持するようになっている第１の面、及び、該第１の面とは反対の第２の面を有するカバーであって、前記背もたれシェル部材にわたって位置決めされて前記開口スペースの少なくとも一部を覆う、カバー
を備える、椅子の背もたれ組立体。
【請求項３４】
前記カバーは、少なくとも３：１の長手方向伸展性対横方向伸展性の比を有する弾性材料を含む、請求項２９に記載の椅子の背もたれ組立体。
【請求項３５】
前記比は少なくとも１０：１である、請求項３３又は３４に記載の椅子の背もたれ組立体。
【請求項３６】
前記カバーはメッシュ生地を含む、請求項３３〜３５のいずれか一項に記載の椅子の背もたれ組立体。
【請求項３７】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項３３〜３６のいずれか一項に記載の椅子の背もたれ組立体。
【請求項３８】
前記背もたれシェル部材は、前記上部、前記底部及び前記側部のうちの少なくとも１つに沿って延びるチャネルを含み、前記リング部材は前記チャネル内に受け入れられる、請求項３７に記載の椅子の背もたれ組立体。
【請求項３９】
前記チャネルは、前記上部、前記底部及び前記側部に沿って延びる、請求項３８に記載の椅子の背もたれ組立体。
【請求項４０】
前記リング部材の前記側部のうちの少なくとも１つは、前記角部のうちの少なくとも１つに対して比較的幅広の部分を含み、前記角部のうちの少なくとも１つは、前記リング部材の前記側部のうちの少なくとも１つに対して比較的幅狭の部分を含む、請求項３７〜３９のいずれか一項に記載の椅子の背もたれ組立体。
【請求項４１】
前記リング部材の前記側部のうちの少なくとも１つは、実質的に矩形の断面形態を有する、請求項３７〜４０のいずれか一項に記載の椅子の背もたれ組立体。
【請求項４２】
前記角部のうちの少なくとも１つは、実質的に円形の断面形態を有する、請求項３７〜４１のいずれか一項に記載の椅子の背もたれ組立体。
【請求項４３】
前記リング部材の前記側部のうちの少なくとも１つ及び前記角部のうちの少なくとも１つは、前記カバーに縫い付けられる、請求項３７〜４２のいずれか一項に記載の椅子の背もたれ組立体。
【請求項４４】
前記背もたれシェル部材は、前記背もたれフレーム組立体によって回動可能に支持される、請求項３３〜４３のいずれか一項に記載の椅子の背もたれ組立体。
【請求項４５】
前記背もたれフレーム組立体は、直立位置とリクライニング位置との間で移動可能である、請求項３３〜４３のいずれか一項に記載の椅子の背もたれ組立体。
【請求項４６】
前記背もたれシェル部材は、前記背もたれフレーム組立体が前記直立位置と前記リクライニング位置との間で回動すると、前後方向に撓む、請求項４５に記載の椅子の背もたれ組立体。
【請求項４７】
前記背もたれシェル部材の腰部領域が、前記背もたれフレーム組立体が前記直立位置と前記リクライニング位置との間で移動すると、前後方向に移動する、請求項４５又は４６に記載の椅子の背もたれ組立体。
【請求項４８】
前記カバーは前記背もたれシェル部材にわたって伸張する、請求項３３〜４７のいずれか一項に記載の椅子の背もたれ組立体。
【請求項４９】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている上方に延びる部分を含む、背もたれ支持構造体；
背もたれシェル部材であって、概ね前方に面するとともに着座した使用者の背中を支持するように構成されている背中支持面を含み、第３の回動点を中心に回転するように前記背もたれ支持構造体の前記上方に延びる部分に回動可能に連結されている上側部分、及び下側部分を有し、メッシュカバーによって覆われる、背もたれシェル部材；並びに
第４の回動点を中心に回転するように前記背中支持面の前記下側部分に回動可能に連結されているとともに、第５の回動点を中心に回転するように前記座部支持構造体に回動可能に連結されている背もたれリンクであって、前記背中支持面は、前記背もたれ支持構造体が前記直立位置から前記リクライニング位置に移動すると前記背もたれ支持構造体の直立部分に対して前記背もたれリンクによって前方に移動する、背もたれリンク
を備える、椅子組立体。
【請求項５０】
前記背もたれシェル部材は、その長さに沿って前後方向に可撓性である、請求項４９に記載の椅子組立体。
【請求項５１】
前記カバーは、少なくとも３：１の長手方向伸展性対横方向伸展性の比を有する弾性材料を含む、請求項４９又は５０に記載の椅子組立体。
【請求項５２】
前記比は少なくとも１０：１である、請求項４９〜５１のいずれか一項に記載の椅子組立体。
【請求項５３】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項４９〜５２のいずれか一項に記載の椅子組立体。
【請求項５４】
前記背もたれシェル部材は、上部、底部及び側部のうちの少なくとも１つに沿って延びるチャネルを含み、前記リング部材は前記チャネル内に受け入れられる、請求項５３に記載の椅子組立体。
【請求項５５】
前記チャネルは、前記上部、前記底部及び前記側部に沿って延びる、請求項５４に記載の椅子組立体。
【請求項５６】
前記カバーは前記背もたれシェル部材にわたって伸張する、請求項５３〜５５のいずれか一項に記載の椅子組立体。
【請求項５７】
前記背中支持面及び前記背もたれ支持構造体の少なくとも一部は、該背もたれ支持構造体の前記直立位置から前記リクライニング位置への移動中に変化する距離を間に画定する、請求項５３〜５６のいずれか一項に記載の椅子組立体。
【請求項５８】
前記背もたれ支持構造体の前記上方に延びる部分は実質的に剛性であり、前記距離を画定する前記背中支持面の前記一部は、前記背もたれ支持構造体よりも大幅に低い剛性である、請求項５７に記載の椅子組立体。
【請求項５９】
前記背もたれシェル部材は、或る曲率を画定する前方に湾曲する下側腰部部分を含み、前記曲率は、前記背もたれ支持構造体が前記直立位置から前記リクライニング位置に移動するにつれて増大する、請求項４９〜５８のいずれか一項に記載の椅子支持体。
【請求項６０】
前記背もたれ支持構造体と前記背もたれ支持組立体との間の動作可能な接続部は、前記背もたれ支持構造体の前記上方に延びる部分への前記背もたれシェル部材の回動接続部を含む、請求項５９に記載の椅子支持体。
【請求項６１】
椅子組立体であって：
ベース構造体；
前記ベース構造体に動作可能に連結されている座部支持構造体であって、着座した使用者をその上で支持するように構成されている座部支持面を含む、座部支持構造体；
前記ベース構造体に動作可能に連結されている背もたれ支持構造体であって、直立位置とリクライニング位置との間で移動するようになっている、背もたれ支持構造体；
背もたれシェル部材であって、概ね前方に面するとともに着座した使用者の背中を支持するように構成されている背中支持面を含み、第１の背もたれ支持回動点を中心に回転するように前記背もたれ支持構造体に回動可能に連結されており、メッシュカバーによって覆われる、背もたれシェル部材；並びに
第２の背もたれ支持回動点を中心に回転するように前記背中支持面に回動可能に連結されているとともに、前記座部支持構造体に動作可能に連結されている背もたれリンクであって、前記第１の背もたれ支持回動点と前記第２の背もたれ支持回動点との間の距離は、前記背もたれ支持構造体が前記直立位置から前記リクライニング位置に移動するにつれて低減し、前記背もたれ支持構造体が前記リクライニング位置から前記直立位置に移動するにつれて増大する、背もたれリンク
を備える、椅子組立体。
【請求項６２】
前記背もたれシェル部材は、その長さに沿って前後方向に可撓性である、請求項６１に記載の椅子組立体。
【請求項６３】
前記カバーは、少なくとも３：１の長手方向伸展性対横方向伸展性を有する弾性材料を含む、請求項６１又は６２に記載の椅子組立体。
【請求項６４】
前記比は少なくとも１０：１である、請求項６１に記載の椅子組立体。
【請求項６５】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項６１〜６４のいずれか一項に記載の椅子組立体。
【請求項６６】
前記背もたれシェル部材は、上部、底部及び側部のうちの少なくとも１つに沿って延びるチャネルを含み、前記リング部材は前記チャネル内に受け入れられる、請求項６５に記載の椅子組立体。
【請求項６７】
前記チャネルは、前記上部、前記底部及び前記側部に沿って延びる、請求項６６に記載の椅子組立体。
【請求項６８】
前記カバーは前記背もたれシェル部材にわたって伸張する、請求項６１〜６７のいずれか一項に記載の椅子組立体。
【請求項６９】
前記背もたれリンクは、座部支持回動点を中心に前記座部支持構造体に回動可能に連結されており、前記第２の背もたれ支持回動点は、前記背もたれ支持構造体が前記直立位置から前記リクライニング位置に移動するときに前記座部支持回動点に対して移動しない、請求項６１〜６８のいずれか一項に記載の椅子組立体。
【請求項７０】
前記背中支持面は、前記背もたれ支持構造体が前記直立位置から前記リクライニング位置に移動すると前記背もたれ支持構造体の少なくとも一部に対して前記背もたれリンクによって前方に移動する、請求項６１〜６９のいずれか一項に記載の椅子組立体。
【請求項７１】
前記椅子組立体は、前記座部支持構造体に動作可能に連結されている第１の端、及び、前記背もたれ支持構造体に動作可能に連結されている第２の端を有する制御リンクを更に備え、該制御リンクは、前記背もたれ支持構造体が前記直立位置から前記リクライニング位置に移動すると、前記背もたれ支持構造体のリクライニング速さよりも遅いリクライニング速さで前記座部支持構造体をリクライニングさせる、請求項６１〜７０のいずれか一項に記載の椅子組立体。
【請求項７２】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている、背もたれ支持構造体；
背もたれ支持組立体であって、概ね前方に面するとともに着座した使用者の背中を支持するように構成されている可撓性の背もたれシェル部材を含み、前記背もたれ支持構造体に動作可能に連結されており、前記背もたれシェル部材はメッシュカバーによって覆われる、背もたれ支持組立体；並びに
背中支持面の下側部分に動作可能に連結されているとともに前記座部支持構造体に動作可能に連結されている背もたれリンクであって、前記可撓性の背もたれ支持組立体は、前記背もたれ支持構造体が前記直立位置から前記リクライニング位置に移動するとその長さに沿って撓む、背もたれリンク
を備える、椅子組立体。
【請求項７３】
前記背もたれシェル部材は、その長さに沿って前後方向に可撓性である、請求項７２に記載の椅子組立体。
【請求項７４】
前記カバーは、少なくとも３：１の長手方向伸展性対横方向伸展性の比を有する弾性材料を含む、請求項７２又は７３に記載の椅子組立体。
【請求項７５】
前記比は少なくとも１０：１である、請求項７４に記載の椅子組立体。
【請求項７６】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項７２〜７５のいずれか一項に記載の椅子組立体。
【請求項７７】
前記背もたれシェル部材は、上部、底部及び側部のうちの少なくとも１つに沿って延びるチャネルを含み、前記リング部材は前記チャネル内に受け入れられる、請求項７６に記載の椅子組立体。
【請求項７８】
前記チャネルは、前記上部、前記底部及び前記側部に沿って延びる、請求項７７に記載の椅子組立体。
【請求項７９】
前記カバーは前記背もたれシェル部材にわたって伸張する、請求項７２〜７８のいずれか一項に記載の椅子組立体。
【請求項８０】
前記背もたれ支持組立体は、前記背もたれ支持構造体が前記直立位置から前記リクライニング位置に移動すると、前記背もたれ支持構造体の少なくとも一部に対して前記背もたれリンクによって前方に移動する、請求項７２〜７９のいずれか一項に記載の椅子組立体。
【請求項８１】
前記背もたれシェル部材は、或る曲率を画定する前方に湾曲する下側腰部部分を含み、前記曲率は、前記背もたれ支持構造体が前記直立位置から前記リクライニング位置に移動するにつれて低減する、請求項７２〜８０のいずれか一項に記載の椅子支持体。
【請求項８２】
前記背もたれ支持構造体と前記背もたれ支持組立体との間の動作可能な接続部は、前記背もたれ支持構造体への前記背もたれシェル部材の回動接続部を含む、請求項８１に記載の椅子支持体。
【請求項８３】
前記座部支持構造体は前部及び後部を含み、前記背もたれ支持構造体は前部及び後部を含み、前記第１の回動点は、前記座部支持構造体の前記前部に位置し、前記第２の回動点は、前記背もたれ支持構造体の前記前部に位置する、請求項７２〜８２のいずれか一項に記載の椅子組立体。
【請求項８４】
前記背もたれ支持構造体は概ねＬ字形であり、前記背もたれ支持構造体は、上方に延びる部分から前方に延びる下側部分を含む、請求項７２〜８３のいずれか一項に記載の椅子組立体。
【請求項８５】
前記背もたれ支持構造体が前記直立位置から前記リクライニング位置に移動するときの前記座部支持構造体のリクライニング速さは、前記背もたれ支持構造体が前記直立位置から前記リクライニング位置に移動するときの前記背もたれ支持構造体のリクライニング速さよりも遅い、請求項７２〜８４のいずれか一項に記載の椅子組立体。
【発明の詳細な説明】
【技術分野】
【０００１】
本発明は、椅子組立体に関し、特に、メッシュ生地の椅子カバーによってそれぞれ覆われる背もたれ組立体及び座部組立体を備えるオフィスの椅子組立体に関する。
【発明の概要】
【課題を解決するための手段】
【０００２】
本発明の１つの態様は、椅子の背もたれ組立体であって、横方向に延びる上部、横方向に延びる底部、並びに、上部と底部との間に延びるとともに上部及び底部と協働してそれらの間に開口スペースを画定する、一対の長手方向に延びる側部を含む、背もたれシェル部材、並びに、着座した使用者を支持するようになっている第１の面、及び、第１の面とは反対の第２の面を有するカバーであって、背もたれシェル部材にわたって伸張して開口スペースの少なくとも一部を覆い、少なくとも３：１の長手方向伸展性対横方向伸展性の比を有する弾性材料を含む、カバーを備える、椅子の背もたれ組立体を提供することである。
【０００３】
本発明の別の態様は、椅子の構成要素組立体であって、着座した使用者の一部を支持するようになっている支持構成要素、第１の面、及び第１の面とは反対の第２の面を有するメッシュ生地カバー、並びに、複数の側部、及び、側部と空間を置く複数の角部を有するリング部材であって、側部のうちの少なくとも１つは、側部のうちの少なくとも１つが側部のうちの少なくとも１つの長手方向軸に沿ってカバーとともに回転するように固定されるよう、カバーの第１の面に固定され、角部のうちの少なくとも１つは、角部のうちの少なくとも１つが角部のうちの少なくとも１つに対して接線方向の線に沿ってカバーとともに回転するように自由であるよう、カバーの第１の面に固定され、リング部材は支持構成要素に固定される、リング部材を備える、椅子の構成要素組立体を提供することである。
【０００４】
本発明のまた別の態様は、椅子の背もたれ組立体であって、実質的に剛性の背もたれフレーム組立体、背もたれシェル部材であって、背もたれフレーム組立体によって動作可能に支持され、横方向に延びる上部、横方向に延びる底部、並びに、上部と底部との間に延びるとともに上部及び底部と協働してそれらの間に開口スペースを画定する、一対の長手方向に延びる側部を含み、一対の側部は横方向に実質的に剛性であり、背もたれシェル部材は横方向に実質的に剛性であり、前後方向に実質的に柔軟に弾性である、背もたれシェル部材、並びに、着座した使用者を支持するようになっている第１の面、及び、第１の面とは反対の第２の面を有するカバーであって、背もたれシェル部材にわたって伸張して開口スペースの少なくとも一部を覆う、カバーを備える、椅子の背もたれ組立体を提供することである。
【０００５】
本発明のまた更に別の態様は、椅子組立体であって、ベース構造体、第１の回動点を中心に回転するようにベース構造体に回動可能に連結されている座部支持構造体であって、着座した使用者をその上で支持するように構成されている座部支持面を含む、座部支持構造体、並びに、第２の回動点を中心に回転するようにベース構造体に回動可能に連結されている背もたれ構造体であって、背もたれ支持構造体は、直立位置とリクライニング位置との間で移動するようになっている上方に延びる部分を含む、背もたれ構造体を備える、椅子組立体を提供することである。椅子組立体は、背もたれシェル部材であって、概ね前方に面するとともに着座した使用者の背中を支持するように構成されている背中支持面を含み、第３の回動点を中心に回転するように背もたれ支持体の上方に延びる部分に回動可能に連結されている上側部分、及び下側部分を有し、メッシュカバーによって覆われる、背もたれシェル部材、並びに、第４の回動点を中心に回転するように背中支持面の下側部分に回動可能に連結されているとともに、第５の回動点を中心に回転するように座部支持構造体に回動可能に連結されている背もたれリンクであって、背中支持面は、背もたれ支持構造体が直立位置からリクライニング位置に移動すると背もたれ支持構造体の直立部分に対して背もたれリンクによって前方に移動する、背もたれリンクを更に備える。
【０００６】
本発明の別の態様は、椅子組立体であって、ベース構造体、ベース構造体に動作可能に連結されている座部支持構造体であって、着座した使用者をその上で支持するように構成されている座部支持面を含む、座部支持構造体、及び、ベース構造体に動作可能に連結されている背もたれ支持構造体であって、直立位置とリクライニング位置との間で移動するようになっている、背もたれ支持構造体を備える、椅子組立体を提供することである。椅子組立体は、背もたれシェル部材であって、概ね前方に面するとともに着座した使用者の背中を支持するように構成されている背中支持部材を含み、第１の背もたれ支持回動点を中心に回転するように背もたれ支持体に回動可能に連結されており、メッシュカバーによって覆われる、背もたれシェル部材、及び、第２の背もたれ支持回動点を中心に回転するように背中支持面に回動可能に連結されているとともに、座部支持構造体に動作可能に連結されている背もたれリンクであって、第１の背もたれ支持回動点と第２の背もたれ支持回動点との間の距離は、背もたれ支持構造体が直立位置からリクライニング位置に移動するにつれて低減し、背もたれ支持構造体がリクライニング位置から直立位置に移動するにつれて増大する、背もたれリンクを更に備える。
【０００７】
本発明のまた別の態様は、椅子組立体であって、ベース構造体、第１の回動点を中心に回転するようにベース構造体に回動可能に連結されている座部支持構造体であって、着座した使用者をその上で支持するように構成されている座部支持面を含む、座部支持構造体、及び、第２の回動点を中心に回転するようにベース構造体に回動可能に連結されている背もたれ支持構造体であって、直立位置とリクライニング位置との間で移動するようになっている、背もたれ支持構造体を備える、椅子組立体を提供することである。椅子組立体は、背もたれ支持組立体であって、概ね前方に面するとともに着座した使用者の背中を支持するように構成されている可撓性の背もたれシェル部材を含み、背もたれ支持体に動作可能に連結されており、背もたれシェル部材はメッシュカバーによって覆われる、背もたれ支持組立体、並びに、背中支持面に動作可能に連結されているとともに座部支持構造体に動作可能に連結されている背もたれリンクであって、可撓性の背もたれ支持組立体は、支持構造体が直立位置からリクライニング位置に移動するとその長さに沿って撓む、背もたれリンクを更に備える。
【０００８】
本発明のこれら及び他の特徴並びに利点は、以下の明細書、特許請求の範囲及び添付の図面を参照することによって当業者には更に理解及び認識されるであろう。
【図面の簡単な説明】
【０００９】
【図１】本発明を具現する椅子組立体の正面斜視図である。
【図２】椅子組立体の後面斜視図である。
【図３】下降位置及び破線の上昇位置にある椅子組立体、並びに、後退位置及び破線の延長位置にある座部組立体を示す、椅子組立体の側面図である。
【図４】直立位置及び破線のリクライニング位置にある椅子組立体を示す椅子組立体の側面図である。
【図５】座部組立体の分解図である。
【図６】椅子カバー組立体の上面斜視図である。
【図７】カバー組立体の底面斜視図である。
【図８】カバー組立体及び座部組立体の底面斜視図である。
【図９】カバー組立体の断面図である。
【図１０】背もたれ組立体の正面斜視図である。
【図１１】背もたれ組立体の側面図である。
【図１２Ａ】背もたれ組立体の分解正面斜視図である。
【図１２Ｂ】背もたれ組立体の分解後面斜視図である。
【図１３】図１２Ａの領域ＸＩＩＩの拡大斜視図である。
【図１４】図２の領域ＸＩＶの拡大斜視図である。
【図１５】図１０の線ＸＶ−ＸＶに沿った上側背もたれ回動組立体の断面図である。
【図１６Ａ】上側背もたれ回動組立体の分解後面斜視図である。
【図１６Ｂ】上側背もたれ回動組立体の分解正面斜視図である。
【図１７】図１２Ｂの領域ＸＶＩＩの拡大斜視図である。
【図１８Ａ】快適部材及び腰部組立体の拡大斜視図である。
【図１８Ｂ】快適部材及び腰部組立体の後面斜視図である。
【図１９Ａ】歯止め部材の正面斜視図である。
【図１９Ｂ】歯止め部材の後面斜視図である。
【図２０】図１８Ｂの線Ｘ−Ｘに沿った部分断面斜視図である。
【図２１】図１０の線ＸＸＩ−ＸＸＩに沿った背もたれ組立体及び椅子張り組立体の側断面図である。
【図２２Ａ】背もたれ組立体及び椅子張り組立体の段階的な組み立て図である。
【図２２Ｂ】背もたれ組立体及び椅子張り組立体の段階的な組み立て図である。
【図２２Ｃ】背もたれ組立体及び椅子張り組立体の段階的な組み立て図である。
【図２２Ｄ】背もたれ組立体及び椅子張り組立体の段階的な組み立て図である。
【図２３】図１８Ｂの領域ＸＸＩＩＩの拡大斜視図である。
【図２４Ａ】ボートクリートの一連の後面図、及びボートクリートに固定される引き紐の段階的なステップを示す図である。
【図２４Ｂ】ボートクリートの一連の後面図、及びボートクリートに固定される引き紐の段階的なステップを示す図である。
【図２４Ｃ】ボートクリートの一連の後面図、及びボートクリートに固定される引き紐の段階的なステップを示す図である。
【図２４Ｄ】ボートクリートの一連の後面図、及びボートクリートに固定される引き紐の段階的なステップを示す図である。
【図２４Ｅ】ボートクリートの一連の後面図、及びボートクリートに固定される引き紐の段階的なステップを示す図である。
【図２４Ｆ】ボートクリートの一連の後面図、及びボートクリートに固定される引き紐の段階的なステップを示す図である。
【図２４Ｇ】ボートクリートの一連の後面図、及びボートクリートに固定される引き紐の段階的なステップを示す図である。
【図２４Ｈ】ボートクリートの一連の後面図、及びボートクリートに固定される引き紐の段階的なステップを示す図である。
【図２５】背もたれ組立体の代替的な実施形態の分解図である。
【図２６】背もたれ組立体の代替的な実施形態の上部の側断面図である。
【図２７】背もたれ組立体の代替的な実施形態の側部の断面図である。
【図２８】ステー部材の正面図である。
【図２９】裏返しの向きのステー部材の正面図である。
【図３０】カバー部材に縫い付けられたステー部材の部分正面図である。
【図３１】メッシュ生地カバーを含む背もたれ組立体を含む、椅子組立体の代替的な実施形態の正面斜視図である。
【図３２】メッシュ生地カバーを含む背もたれ組立体を含む、椅子組立体の代替的な実施形態の後面斜視図である。
【図３３】代替的な椅子組立体の背もたれ組立体の分解正面斜視図である。
【図３４】代替的な椅子組立体の背もたれ組立体の分解後面斜視図である。
【図３５Ａ】図３１の線ＸＸＸＶ−ＸＸＸＶに沿った代替的な椅子組立体の背もたれ組立体の断面図である。
【図３６】座部支持プレートをその上で支持する制御入力組立体の斜視図である。
【図３７】制御入力組立体の、その内部を示すために幾つかの要素が取り除かれた状態の斜視図である。
【図３８】制御入力組立体の分解図である。
【図３９】制御入力組立体の側面図である。
【図４０Ａ】背もたれ支持構造体の正面斜視図である。
【図４０Ｂ】背もたれ支持構造体の分解斜視図である。
【図４１】椅子組立体の、その複数の回動点を示す側面図である。
【図４２】制御組立体の、それに関連する複数の回動点を示す側面斜視図である。
【図４３】腰部調整部が中立の設定に設定された状態の、直立位置にある背もたれを示す椅子の断面図である。
【図４４】腰部部分が平坦な形態に調整された状態の、直立位置にある背もたれを示す椅子の断面図である。
【図４５】腰部が中立な位置に調整されてリクライニングした背もたれを示す椅子の断面図である。
【図４６】腰部が平坦な形態に調整された状態の、リクライニング位置にある椅子の断面図である。
【図４７】シェルの腰部部分が最大限に湾曲して設定されてリクライニングした背もたれを示す椅子の断面図である。
【図４８】背もたれ組立体の斜視図である。
【図４９】椅子組立体の代替的な実施形態の正面斜視図である。
【図５０】椅子組立体の代替的な実施形態の正面図である。
【図５１】椅子組立体の代替的な実施形態の第１の側面図である。
【図５２】椅子組立体の代替的な実施形態の第２の側面図である。
【図５３】椅子組立体の代替的な実施形態の後面図である。
【図５４】椅子組立体の代替的な実施形態の上面図である。
【図５５】椅子組立体の代替的な実施形態の底面図である。
【発明を実施するための形態】
【００１０】
本明細書における説明のために、用語「上側」、「下側」、「右」、「左」、「後方」、「前方」、「鉛直」、「水平」及びそれらの派生語は、図１及び図２における向きのような本発明に関連するものとする。しかし、本発明は、それとは反対に明記される場合を除いて、種々の代替的な向き及びステップの順序をとることができることを理解されたい。また、添付の図面に示されるとともに以下の明細書に記載される特定の装置及びプロセスは、添付の特許請求の範囲において規定される本発明の概念の例示的な実施形態であることが理解されたい。したがって、本明細書において開示される実施形態に関連する特定の寸法及び他の物理的な特徴は、特許請求の範囲において別途明記されない限り、限定するものとしてみなされるべきではない。
【００１１】
参照符号１０（図１及び図２）は、全体的に、本発明を具現する椅子組立体を示す。図示の例では、椅子組立体１０は、支持床面１３に当接するキャスター付きのベース組立体１２、キャスター付きのベース組立体１２によって支持される制御又は支持組立体１４、制御組立体１４にそれぞれ動作可能に連結されている座部組立体１６及び背もたれ組立体１８、並びに、一対のアーム組立体２０を含む。制御組立体１４（図３）は、ベース組立体１２に動作可能に連結されており、それによって、座部組立体１６、背もたれ組立体１８及びアーム組立体２０は、完全に下降した位置Ａと完全に上昇した位置Ｂとの間で鉛直方向に調整され、方向２２に鉛直軸２１を中心に回動することができる。座部組立体１６は制御組立体１４に動作可能に連結されており、それによって、座部組立体１６（図４）は、制御組立体１４に対して、完全に後退した位置Ｃと完全に延長した位置Ｄとの間で長手方向に調整可能である。座部組立体１６及び背もたれ組立体１８は、制御組立体１４に、及び互いに動作可能に連結されており、それによって、背もたれ組立体１８は、完全に直立した位置Ｅと完全にリクライニングした位置Ｆとの間で移動可能であり、さらに、座部組立体１６は、背もたれ組立体１８の完全に直立した位置Ｅ及び完全にリクライニングした位置Ｆにそれぞれ対応する完全に直立した位置Ｇと完全にリクライニングした位置Ｈとの間で移動可能である。
【００１２】
ベース組立体１２は、空気圧シリンダ２８を内部に受け入れる中空の中央支柱２６を中心に径方向に延びるとともに離間した複数の台座アーム２４を含む。各台座アーム２４は、関連するキャスター組立体３０によって床面１３の上で支持される。ベース組立体１２はマルチアームの台座組立体を含むものとして示されているが、固定支柱、マルチ脚部構成、車両座部支持組立体等を含むがこれらに限定されない、他の好適な支持構造を使用することができることが留意される。
【００１３】
座部組立体１６（図５）は比較的剛性の座部支持プレート３２を含み、座部支持プレート３２は、前縁３４、後縁３６、及び、座部支持プレート３２の側縁を画定するとともに前縁３４と後縁３６との間に延びる一対のＣ字形のガイドレール３８を有する。座部組立体１６は、側縁４３でそれぞれ終端する一対の上方に曲がる側部４２、前縁４５、及び、後縁４７で終端するとともにフラップ部分４９を含む上方に曲がる後部４４を有する柔軟に弾性の外側座部シェル４０を更に含み、側部４２及び後部４４は、三次元の上方に配置される概ね凹状の形状を形成するように協働する。図示の例では、座部シェル４０は、熱可塑性エラストマ（ＴＰＥ）等の比較的可撓性の材料から構成され、単一の一体部品として成形される。以下で更に詳細に記載する組み立てにおいて、外側座部シェル４０は、座部支持プレート３２と、複数の機械的締結具によって座部支持プレート３２に固定されるプラスチック製の柔軟に弾性の座部パン４６との間に固定されて挟まれる。座部パン４６は、上方に配置される概ね凹状の形状を形成するように協働する、前縁４８、後縁５０、前縁４８と後縁５０との間に延びる側縁５２、上面５４及び底面５６を含む。図示の例では、座部パン４６は、後縁５０から前方に延びる複数の長手方向に延びるスロット５８を含む。スロット５８は、間に複数のフィンガ６０を画定するように協働し、各フィンガ６０は個々に柔軟に弾性である。座部パン４６は、前縁４８に近接して位置する複数の横方向の向きの細長い孔６２を更に含む。孔６２は、その領域において座部パン４６の全体的な可撓性を高めるように協働し、具体的には、以下で更に説明するように、座部パン４６の前部６４が、座部パン４６の後部６８に対して鉛直方向６６に撓むことを可能にする。座部組立体１６は発泡クッション部材７０を更に含み、発泡クッション部材７０は、座部パン４６の上面５４に載り、外側座部シェル４０、生地座部カバー７２、及び、クッション部材７０の上面７６内で囲まれる。図示の例では、カバー７２は、前縁７３、後縁７５、及び、それらの間に延びる一対の側縁７７を含む。ばね支持組立体７８（図５及び図６）が座部１６に固定され、鉛直方向６６に撓むように座部パン４６の前部６４を可撓性に支持するようになっている。図示の例では、ばね支持組立体７８は、発泡体を含むとともに、上方に凹状の弓状形状を画定する側部８２を有する支持ハウジング８０を含む。ばね支持組立体７８は、支持ハウジング８０の側部８２間に横方向に延びるとともに、支持ハウジング８０と座部パン４６の前部６４との間に位置する比較的剛性の取り付け部材８４を更に含む。複数の機械的締結具８６が、支持ハウジング８０及び取り付け部材８４を座部パン４６の前部６４に固定する。ばね支持組立体７８は、取り付け部材８４の対応する孔９２を通して受け入れられる遠位端９０、及び、座部支持プレート３２に固定される近位端９４をそれぞれ有する一対の片持ち梁式ばね８８を更に含み、それによって、各片持ち梁式ばね８８の遠位端９０は鉛直方向６６に撓むことができる。一対のリニア軸受９６が取り付け部材８４にしっかりと取り付けられてその孔９２と位置合わせされ、それによって、リニア軸受９６は、対応する片持ち梁式ばね８８の遠位端９０を摺動可能に受け入れる。動作時に、片持ち梁式ばね８８は、着座した使用者が座部組立体１６上で前方に回り、その前縁に下方への力を加えると、座部パン４６の前部６４、より包括的には座部組立体１６の前部全体が鉛直方向６６に撓むことを可能にするように協働する。
【００１４】
図６及び図７に最も良く示されているように、柔軟に弾性の座部シェル４０及び生地座部カバー７２は、椅子カバー組立体又はカバー１００を形成するように協働する。具体的には、座部シェル４０の側縁４３及び座部カバー７２の側縁７７、座部シェル４０の前縁４５及び座部カバー７２の前縁７３、並びに、座部シェル４０の後縁４７及び座部カバー７２の後縁７５は、互いにそれぞれ取り付けられ、カバー１００を形成し、内部に内部スペース１０２を画定する。
【００１５】
座部シェル４０のフラップ部分４９は、後部４４とそれぞれの側部４２との間に位置する座部シェル４０の角部１０６に沿ってそれぞれ延びる一対の角縁１０４を含み、それによって、フラップ部分４９は開位置Ｉと閉位置Ｊとの間で移動可能である。図示の例では、フラップ部分４９の各角縁１０４は、角縁１０４に沿って離間するとともに貫通する孔１１０をそれぞれ含む複数のタブ１０８を含む。角縁１０４のタブ１０８は、各側部４２の角縁１１４に沿って離間した複数のタブ１１２と空間を置く。タブ１１２のそれぞれは、貫通する孔１１６を含む。
【００１６】
座部シェル４０は、座部シェル４０の内縁１２１の周りに離間するとともに、Ｚ形の断面形態をそれぞれ有する、複数の一体的に成形された連結タブ１１８も含む。
【００１７】
組み立てにおいて、椅子カバー組立体１００（図８）は、上述したように座部シェル４０及び座部カバー７２から構成される。次に、座部パン４６、クッション部材７０及びばね支持組立体７８が互いに対して配置され、フラップ４９を開位置Ｉに位置決めすることによって椅子カバー組立体１００の内部スペース１０２内に位置決めされ、その後、フラップ４９は閉位置Ｊに移動される。一対の迅速接続締結具１２０が、Ｌ字形の本体部分１２４の長さに沿って離間した複数のスナップカプラ１２２をそれぞれ含む。組み立てにおいて、スナップカプラ１２２は、タブ１０８、１１２の孔１１０、１１６を通って延び、座部パン４６の対応する孔１２６内にスナップ可能に受け入れられることで、角縁１０４、１１４を座部パン４６及びフラップ部分４９に閉位置Ｊで固定する。
【００１８】
さらに組み立てにおいて、連結タブ１１８（図９）が、座部パン４６の対応する孔１３０内に位置決めされ、それによって、カバー組立体１００が、座部パン４６に一時的に固定されることで、カバー組立体１００と座部パン４６との接続及び位置合わせを維持しながらも、組み立て中の座部組立体１６への更なる操作を可能にする。本明細書において用いられる場合、「一時的に固定」とは、椅子組立体１０の通常の耐用年数にわたる椅子組立体１０の通常の使用中に、座部パン４６へのカバー組立体１００のそれ自体による固定を維持することが期待されない固定として規定される。次に、支持プレート３２が、複数のねじ１３２によって座部パン４６の下面に固定されることで、連結タブ１１８を支持プレート３２と座部パン４６との間に挟み、カバー組立体１００を座部パン４６に恒久的に固定する。本明細書において用いられる場合、「恒久的な固定」とは、椅子組立体の通常の耐用年数にわたる椅子組立体の通常の使用中に、座部パン４６へのカバー組立体１００の固定を維持することが期待される固定として規定される。
【００１９】
背もたれ組立体１８（図１０〜図１２Ｂ）は、背もたれフレーム組立体１５０、及び、それによって支持される背もたれ支持組立体１５１を含む。背もたれフレーム組立体１５０は、金属等の実質的に剛性の材料から概ね構成され、横方向に延びる上部フレーム部分１５２、横方向に延びる底部フレーム部分１５４、並びに、上部フレーム部分１５２と底部フレーム部分１５４との間に延びるとともに、それらと協働して、比較的大きい上側寸法１６０及び比較的狭い下側寸法１６２を有する開口１５８を画定する、一対の湾曲した側部フレーム部分１５６を含む。
【００２０】
背もたれ組立体１８は、上側部分１６６、下側部分１６８、上側部分１６６と下側部分１６８との間に延びる一対の側縁１７０、前方に面する面１７２、及び後方に面する面１７４を有する柔軟に弾性のプラスチック製の背もたれシェル１６４を更に含み、上側部分１６６の幅は、下側部分１６８の幅よりも概ね大きく、下側部分１６８は、フレーム組立体１５０の後面形態に概ね従うように下方にテーパ状になっている。下側補強部材１７６が、背もたれシェル１６４の下側部分１６８のフック１７７（図１２Ａ）に取り付けられる。補強部材１７６は、補強リブ１８０に係合して背もたれシェル１６４に対する下側補強部材１７６の左右の移動を防止する複数の突起１７９を含む。以下で説明するように、補強部材１７６は、背もたれ制御リンク６００（図４２）を、回動点又は軸６０２において背もたれシェル１６４の下側部分１６８に回動可能に相互接続する。
【００２１】
背もたれシェル１６４は、その上側部分１６６の外周の周りで離間した、複数の一体的に成形された前方及び上方に延びるフック１８０（図１３）も含む。中間又は腰部部分１８２が、背もたれシェル１６４の上側部分１６６と下側部分１６８との間に鉛直に位置付けられ、間に位置する複数の横方向に延びるリブ１８６を形成するように協働する複数の横方向に延びるスロット１８４を含む。スロット１８４は、その位置において背もたれシェル１６４への付加的な撓みを提供するように協働する。横方向リブ１８６の対は、横方向リブ１８６と一体的に形成されるとともにそのほぼ横方向中間点に位置付けられる鉛直方向に延びるリブ１８８によって連結される。鉛直方向リブ１８８は、横方向リブ１８６同士をつなぎ、背もたれ組立体１８が直立位置Ｅからリクライニング位置Ｆに移動するときに背もたれシェル１６４がその中間部分１８２において撓むと、横方向リブ１８６間の鉛直方向の広がりを低減するように機能する。背もたれシェル１６４は、下側部分１６８と中間部分１８２との間に背もたれシェル１６４の鉛直長さに沿って長手方向に延びる複数の横方向に離間した補強リブ１９０を更に含む。なお、リブ１９０のそれぞれの深さは、中間部分１８２からリブ１９０のそれぞれに沿って更に増大し、それによって、背もたれシェル１６４の全体的な剛性は、リブ１９０の長さに沿って中間部分１８２から下側部分１６８に向かって増大する。
【００２２】
背もたれシェル１６４は、上側背もたれ回動組立体１９４の一部を形成する、一対の後方に延びる一体的に成形された回動ボス１９２を更に含む。背もたれ回動組立体１９４（図１４〜図１６Ｂ）は、背もたれシェル１６４の回動ボス１９２、それぞれの回動ボス１９２を包含する一対のシュラウド部材１９６、レース部材１９８、及び、機械的な締結組立体２００を含む。各回動ボス１９２は、一対の側壁２０２、及び、一対の側壁２０２を貫通する鉛直方向に細長い回動スロット２０６を有する後方に面する凹状の座面２０４を含む。各シュラウド部材１９６は、対応する回動ボス１９２を密接して収容するような形状であり、側壁２０２に対応する複数の側壁２１０、及び、鉛直方向に細長いスロットの回動スロット２１４が貫通するとともに、対応する回動ボス１９２のスロット２０６と位置合わせするようになっている、後方に面する凹状の支承面２１２を含む。レース部材１９８は、背もたれフレーム組立体１５０の上部フレーム部分１５２に沿って横方向に延びるとともに上部フレーム部分１５２に当接する中央部分２１６、及び、その端に位置する一対の弓状形状の支承面２１８を含む。具体的には、中央部分２１６は、第１の部分２２０及び第２の部分２２２を含み、第１の部分２２０は上部フレーム部分１５２の前面に当接し、第２の部分２２２は上部フレーム部分１５２の上面に当接する。各支承面２１８は、支承面２１８を貫通して背もたれフレーム組立体１５０と一体的である対応するボス部材２２６と位置合わせする孔２２４を含む。
【００２３】
組み立てにおいて、シュラウド部材１９６は、背もたれシェル１６４の対応する回動ボス１９２の周りに位置決めされ、背もたれシェル１６４とレース部材１９８との間に動作可能に位置決めされ、それによって、支承面２１２は、対応する回動ボス１９２の座面２０４と支承面２１８との間に挟まれる。機械的な締結組立体２００は、対応する回動ボス１９２の内面２３６と摺動係合する軸受ワッシャ２３４の円形の当接面２３２を固定するボルト２３０をそれぞれ含み、背もたれシェル１６４の対応するボス部材２２６に螺合する。動作時に、上側背もたれ回動組立体１９４は、背もたれ支持組立体１５１が、回動軸２４２（図１０）を中心に背もたれフレーム組立体に対して方向２４０（図１１）に回動することを可能にする。
【００２４】
背もたれ支持組立体１５１は、背もたれシェル１６４に取り付けられているとともに腰部組立体２４６を摺動可能に支持する柔軟に弾性の快適部材２４４を更に含む。快適部材２４４は、上側部分２４８、下側部分２５０、一対の側部２５２、前面２５４及び後面２５６を含み、上側部分２４８、下側部分２５０及び側部は、内部に腰部組立体２４６を受け入れる孔２５８を形成するように協働する。図１２Ｂ及び図１７に最も良く示されているように、快適部材２４４は、上側部分２４８の外周の周りに離間するとともに後面２５６から後方に延びる複数の箱形のカプラ２６０を含む。各箱形のカプラ２６０は、内部スペース２６６を形成するように協働する一対の側壁２６２及び上壁２６４を含む。バー２６８が側壁２６２間に延び、後面２５６から離間している。組み立てにおいて、快適部材２４４は、背もたれシェル１６４のフック１８０を、フック１８０が対応するバー２６８に係合するまで箱形のカプラ２６０のそれぞれの内部スペース２６６に位置合わせするとともに鉛直方向に挿入することによって、背もたれシェル１６４に固定される。なお、背もたれシェル１６４の前面１７２及び快適部材２４４の後面２５６には、フック１８０及び箱形のカプラ２６０に近接する穴又は孔がなく、それによって、滑らかな前面２５４を与え、着座した使用者に対する快適さを高める。
【００２５】
快適部材２４４（図１８Ａ及び図１８Ｂ）は、後面２５６から後方に延びるとともに矩形の断面形態を有する、一体的に成形された長手方向に延びるスリーブ２７０を含む。腰部組立体２４６は、前横方向に凹状で前方鉛直方向に凸状の、柔軟に弾性の本体部分２７２、及び、本体部分２７２から上方に延びる一体的な支持部分２７４を含む。図示の例では、本体部分２７２は、快適部材２４４の孔２５８の輪郭及び形状に概ね従うように、その高さに沿って鉛直方向にテーパ状であるような形状である。支持部分２７４は、快適部材２４４のスリーブ２７０内に摺動可能に受け入れられ、それによって、腰部組立体２４６は、背もたれ支持組立体１５１の残りの部分に対して完全に下降した位置Ｌと完全に上昇した位置Ｍとの間で鉛直方向に調整可能である。歯止め部材２７６が、支持部分２７４の長さに沿って離間した複数の孔２８８に選択的に係合することで、腰部組立体２４６を完全に下降した位置Ｉと完全に上昇した位置Ｊとの間で選択された鉛直位置に解放可能に固定する。歯止め部材２７６（図１９Ａ及び図１９Ｂ）はハウジング部分２７８を含み、ハウジング部分２７８は、その端に位置するとともにハウジング部分２８０の外面２８２から後方にオフセットされる係合タブ２８０を有する。柔軟に弾性のフィンガ２８４がハウジング部分２８０内の中央に配置され、後方に延びる歯止め２８６を含む。
【００２６】
組み立てにおいて、歯止め部材２７６（図２０）は、快適部材２４４の上側部分２４８内に位置付けられる孔２８８内に位置決めされ、それによって、歯止め部材２７６のハウジング部分２７８の外面２８２は、快適部材２４４の前面２５４と同一平面上にあり、また、ハウジング部分２７８の係合タブ２８０が快適部材２４４の後面２５６に当接する。次に、腰部組立体２４６の支持部分２７４が、快適部材２４４のスリーブ２７０内に位置決めされ、それによって、スリーブ２７０のその内部で摺動可能であり、歯止め２８６は孔２７８と選択的に係合可能であることで、使用者が、背もたれ支持組立体１５１全体に対して腰部組立体２４６の位置を最適化することを可能にする。具体的には、腰部組立体２４６の本体部分２７２は、背もたれシェル１６４のそれぞれの側縁２５２の周りに巻き付いて側縁２５２に沿って案内するＣ字形の断面形態をそれぞれ有する、一対の外方に延びる一体的なハンドル部分２９０を含む。
【００２７】
動作時に、使用者は、ハンドル部分２９０の一方又は双方を把持するとともにハンドル組立体２９０を背もたれシェル２４４に沿って鉛直方向に摺動させることによって、背もたれシェル２４４に対して腰部組立体２４６の相対的な鉛直位置を調整する。止めタブ２９２が遠位端２９４内に一体的に形成され、快適部材２４４のスリーブ２７０の端壁に係合するように遠位端２９４からオフセットされることで、快適部材２４４のスリーブ２７０に対する腰部組立体２４６の支持部分２７４の鉛直方向下方への移動を制限する。
【００２８】
背もたれ組立体１５１は、上側部分２９７及び下側部分２９８を有するクッション部材２９６を更に含み、下側部分２９８は、背もたれシェル１６４及び快適部材２４４の全体的な形状及びテーパ状に対応するように、その垂直長さに沿ってテーパ状になっている。
【００２９】
背もたれ組立体１５１は、背もたれシェル１６４、腰部支持組立体２４６及びクッション部材２９６を内部に収容する椅子カバー組立体３００（図１２Ａ及び図１２Ｂ）を更に含む。図示の例では、カバー組立体３００（図２１）は、布材料を含み、そのそれぞれの側縁に沿って縫い合わせられて背もたれシェル１６４及びクッション部材２９６を内部に受け入れる第１の内部又は内側スペース３０８を有する第１のポケット３０６を形成する前側３０２及び後側３０４、並びに、後側３０４に縫い付けられて後側３０４と協働し、腰部支持組立体２４６を内部に受け入れる第２の内部又は内側スペース３０８を有する第２のポケット３１２を形成するフラップ部分３１０を含む。
【００３０】
組み立てにおいて、第１のポケット３０６（図２２Ａ）は、前側３０２及び後側３０４のそれぞれの側縁を、縫い付け、又はカバー組立体３００が構成される材料に好適な他の手段等によって互いに取り付けることにより形成され、第１の内部スペース３０８を画定する。次に、フラップ部分３１０の縁が、その中央部３１２に近接して後側３０４に固定される。図示の例では、次に、背もたれシェル１６４とクッション部材２９６との組み合わせが、後側３０４に位置する孔３１４を介して第１のポケット３０６の内部スペース３０８に挿入される（図２２Ｂ）。椅子カバー組立体３００は、クッション部材２９６及び快適部材２４４の周りで伸張され、上方に延びるフック部材３２４を貫通させて受け入れる複数の孔３２０によって快適部材２４４に固定される（図２３）。代替的には、カバー組立体３００は、孔３２０が、Ｔ字形の取り付け部材３２２も貫通させて受け入れるように位置決めされるよう構成してもよい。図示の例では、取り付け部材３２２及びフック部材３２４は快適部材２４４と一体的に形成されている。各取り付け部材３２２には、快適部材２４４の後面２５６の凹部３２９内から垂直に後方に延びる第１の部分３２８、並びに、第１の部分３２８の遠位端に位置付けられるとともに互いに対向する関係で遠位端から外方に延びる一対の第２の部分３３０を有する、Ｔ字形の断面又はボートクリート形態が設けられる。第２の部分３３０のうちの一方は第１の部分３２８と協働し、角度の付いた係合面３３２を形成する。凹部３２９は、その外周の周りに縁３３４を画定する。
【００３１】
カバー組立体３００は、カバー組立体３００の引き紐トンネル３３８を通って延びて取り付け部材３２２に固定される引き紐３３６によって快適部材２４４に更に固定される。具体的には、図２４Ａ〜図２４Ｈに最も良く示されているように、引き紐３３６の各自由端は、結び目がないように、また、快適部材２４４とは別個の機械的締結具を使用することなく、関連する取り付け部材３２２に固定される。組み立てにおいて、引き紐３３６及び引き紐トンネル３３８は、背もたれシェル１６４の外周の周りに位置付けられるとともに背もたれシェル１６４と一体的に形成される複数のガイドフック３３９（図１８Ｂ）の周りで案内する。引き紐３３６は、関連する取り付け部材３２２の周りに巻き付けられ、それによって、取り付け部材３２２の周りの引き紐３３６の張力によって、凹部３２９に向かって角度が付いている係合面３３２に対して引き紐３３６を押しやることで、引き紐３３６の一部を凹部３２９内に押しやり、凹部３２９の縁３３４の少なくとも一部と係合させ、その結果、引き紐３３６と快適部材２４４との間の摩擦係合が高まる。
【００３２】
次に、腰部組立体２４６が、カバー組立体３００、クッション部材２９６及び快適部材２４４の組立体と位置合わせされ、それによって、腰部組立体２４６の本体部分２７２がカバー組立体３００の中央部３１２付近に位置付けられ、腰部組立体２４６の支持部分２７４が上述したように快適部材２４４と連結される。次に、フラップ部分３１０が腰部組立体２４６にわたって折り重ねられることで、内部スペース３５０を有する第２のポケット３４８が生じる。フラップ部分３１０の遠位に位置する縁３５２は、フック３２４を貫通させて受け入れるフラップ部分３１０を用いて複数の孔３５４によって快適部材２４４に取り付けられる。遠位縁３５２も、カバー組立体３００の後側３０４に縫い付けることができる。図示の例では、フラップ部分３１０の側縁３５６はカバー組立体３００の残りの部分には取り付けられておらず、それによって、側縁３５６はカバー組立体３００の残りの部分と協働し、腰部組立体２４６のハンドル部分２９０が伸び出て通るスロット３６０を形成する。第２のポケット３４８は、腰部組立体２４６を内部で鉛直方向に調整可能であるように構成されている。カバー組立体３００、クッション部材２９６、快適部材２４４及び腰部組立体２４６の組立体は、次に、背もたれシェル１６４に取り付けられる。
【００３３】
参照符号１８ａは全体的に、背もたれ組立体の代替的な実施形態を示す。背もたれ組立体１８ａは前述した背もたれ組立体１８と同様であるため、図１２Ａ及び図１２Ｂ並びに図２５〜図３０において見られる同様の部分は、参照符号の数字の接尾辞「ａ」を除いて、同じ対応する参照符号によってそれぞれ表される。背もたれ組立体１８ａは、背もたれフレーム組立体１５０ａ、背もたれシェル１６４ａ及び椅子カバー組立体３００ａを含む。図示の例では、背もたれシェル１６４ａは、実質的に可撓性の外周部分４００、及び、外周部分４００が取り付けられる実質的にあまり可撓性ではない後部４０２を含む。後部４０２は、間にスラット４０４を画定するように協働する、複数の横方向に延びる、鉛直方向に離間したスロット４０５を含む。図２６及び図２７に最も良く示されているように、外周部分４００及び後部４０２は、背もたれシェル１６４ａの外周の周りに延びる外方に面する開口４０８を形成するように協働する。後部４０２は、溝４０８の周りに離間し、後述するようにカバー組立体３００ａを背もたれシェル１６４ａに固定するのに用いられる複数のリブ４１０を含む。
【００３４】
カバー組立体３００ａは、布カバー４１２、及び、布カバー４１２の外周縁４１６の周りに延びるステー部材４１４を含む。布カバー４１２は、前面４１８及び後面４２０を含み、好ましくは、長手方向及び横方向のうちの少なくとも一方に可撓性の材料を含む。図２８に最も良く示されているように、ステー部材４１４は、リングであり、円形の断面形態をそれぞれ有する複数の幅狭の角部４２４と空間を置く矩形の断面形態をそれぞれ有する複数の幅広部分４２２を含む。幅広部分４２２のそれぞれは、その長さに沿って離間した複数の孔４２６を含み、後述するように、背もたれシェル１６４ａのリブ４１０に係合するようになっている。ステー部材４１４は、図２９に示されているように裏返すことができるように、比較的可撓性のプラスチックから構成される。
【００３５】
組み立てにおいて、ステー部材４１４は、カバー４１２が幅広部分４２２とともに回転するように固定され、また、カバー４１２が幅狭の角部４２４の長手方向軸に対して接線方向の線に沿って幅狭の角部４２４とともに回転するように固定されないよう、カバー４１２の後面４２０に固定される。この例では、ステー部材４１４（図３０）は、幅広部分４２２を通って幅狭の角部４２４の周りに延びる縫い合わせパターンによってカバー４１２の周縁４１６の周りに縫い付けられる。カバー４１２及びステー部材４１４のカバー組立体３００ａは、背もたれシェル１６４ａと位置合わせされ、カバー４１２の周縁４１６は、ステー部材４１４が裏返されるように背もたれシェル１６４ａの周りに巻き付けられる。ステー部材４１４は溝４０８内に挿入され、それによって、背もたれシェル１６４ａの周りで伸張される布カバー４１２の張力によって、ステー部材４１４が溝４０８内に確実に係合したままとなる。背もたれシェル１６４のリブ４１０が、ステー部材４１４の対応する孔４２６に係合することで、ステー部材４１４を溝４０８内に更に固定する。なお、カバー４１２をステー部材４１４に取り付ける縫い付けパターンによって、ステー部材４１４の幅狭の角部４２４がカバー４１２に対して自由に回転することを可能にすることで、所与の生地パターンの集まり又は過伸張等の、カバー４１２の角部付近の美的な異常が生じることを減らす。
【００３６】
参照符号１０ａ（図３１及び図３２）は、全体的に本発明の別の実施形態を示す。椅子組立体１０ｂは前述した椅子組立体１０と同様であるため、図１〜図３０及び図３１〜図３４において見られる同様の部分は、参照符号の数字の接尾辞「ｂ」を除いて、それぞれ同じ対応する参照符号によって表される。椅子組立体１０ｂは、前述したような椅子組立体１０と構成及び組み立てが同様であり、最も注目すべき例外は背もたれ組立体１８ｂの構造である。
【００３７】
図３１〜図３４に最も良く示されているように、背もたれ組立体１８ｂは、背もたれフレーム組立体１５０ｂ、背もたれシェル部材５００、横部材５０２、及びメッシュ生地の椅子カバー５０４を含む。背もたれシェル部材５００は、横方向に延びる上部５０８、横方向に延びる底部５１０、及び、上部５０８と底部５１０との間に延びるとともに上部５０８及び底部５１０間に開口スペース５１４を画定するようにそれらと協働する一対の長手方向に延びる側部５１２を含む。図示の例では、背もたれシェル部材５００は、成形プラスチックを含み、側部５１２及び全体的な背もたれシェル部材５００が横方向５１６に実質的に剛性であり、前後方向５１８に比較的可撓性であるように構成されている。背もたれシェル部材５００は、上部５０８と底部５１０との間の離間した位置において側部５１２間に延びる横方向部分５２０を更に含む。横方向部分５２０は一体的に成形される回動ボス１９２ｂを含む。図示の例では、背もたれシェル部材５００は単一の一体部品として成形される。
【００３８】
横部材５０２は、背もたれフレーム組立体１５０ｂを横切って横方向に延び、背もたれフレーム組立体１５０ｂに固定される。図示の例では、横部材５０２は、椅子組立体１０の前述した支承面２１８及び回動ボス１９２と同様に回動ボス１９２ｂと協働する弓状の支承面２１８ｂを含み、それによって、背もたれシェル部材５００の腰部領域は、背もたれフレーム組立体１５０ｂが、背もたれシェル１６４に関して本明細書において記載したものと同様に直立位置とリクライニング位置との間で移動すると、前後方向５１８に撓む。
【００３９】
カバー５０４は、長手方向５２６ではなく横方向５２４に実質的にあまり柔軟ではない熱可塑性の編物材料又は織物材料を含む。好ましくは、カバー５０４は、少なくとも３：１、より好ましくは少なくとも１０：１の長手方向伸展性対横方向伸展性を有する。組み立てにおいて、リング又はステー部材４１４ｂ（図３５）が、前面５３０に対向し外縁５３２に近接してカバー５０４の後面５２８に取り付けられる。次に、リング４１４ｂ及びカバー５０４の外縁５３２が背もたれシェル部材５００の周りに巻き付けられ、周方向外方に開口するとともに、背もたれシェル部材５００の上部５０８、底部５１０及び側部５１２に沿って長手方向に延びるチャネル５３４に挿入される。図示の例では、リング部材４１４ｂは、複数の外周方向に離間したタブ５５０及び起伏５５２を含み、一方で、チャネル５３４は、それぞれ空間を置いて互いに係合する、複数の外周方向に離間した起伏５５４及びタブ５５６を含むことで、背もたれ支持組立体１５１ｂに丸みを帯びた縁の美的な見た目を与えるように協働する。なお、図示の例では、カバー５０４の内方に延びる外周方向リップ部分５３５が、カバー５０４の主な使用者支持部分５３７まで１８０°延びる。リップ部分５３５は好ましくは、使用者支持部分５３７の９０°〜１８０°の間に延びる。
【００４０】
座部組立体１６及び背もたれ組立体１８は、制御組立体１４（図３６）及び制御入力組立体６０４に動作可能に連結されて制御組立体１４及び制御入力組立体６０４によって制御される。制御組立体１４（図３７〜図３９）は、互いに一体的に形成されて上方に開口する内部スペース６１６を形成するように協働する、前壁６０８、後壁６１０、一対の側壁６１２及び底壁６１４を含む、ハウジング又はベース構造体又は接地構造体６０６を含む。底壁６１４は、シリンダ組立体２８（図３）を貫通させて受け入れるように内部に中央に配置される孔６１８を含む。ベース構造体６０６は、上側かつ前方の回動点６２０、下側かつ前方の回動点６２２、及び上側かつ後方の回動点６２４を更に画定し、制御組立体１４は、座部組立体１６を支持する座部支持構造体６２６を更に含む。図示の例では、座部支持構造体６２６は、上側かつ前方の回動点６２０を中心とした回動のために回動軸６３２によってベース構造体６０６に回動可能に固定される、前方に位置する回動孔６３０をそれぞれ含む一対の前方に延びるアーム部分６２８を含む概ねＵ字形の平面的な形状の形態を有する。座部支持構造体６２６は、アーム部分６２８間に横方向に延びるとともに、アーム部分６２８と協働して、ベース構造体６０６が受け入れられる内部スペース６３６を形成する後部６３４を更に含む。後部６３４は、アーム組立体２０へ取り付けられる一対の後方に延びるアーム取り付け部分６３８を含む。座部支持構造体６２６は、制御入力組立体６０４が取り付けられる、制御入力組立体取り付け部分６４０を更に含む。座部支持構造体６２６は、協働して回動点６４４を画定する一対のブシュ組立体６４２を更に含む。
【００４１】
制御組立体１４は、概ねＵ字形の平面図形態を有するとともに、回動孔６５０をそれぞれ含んで回動軸６５２によってベース構造体６０６に回動可能に連結される、一対の前方に延びるアーム部分６４８を含む、背もたれ支持構造体６４６を更に含み、それによって、背もたれ支持構造体６４６は下側かつ前方の回動点６７２を中心として回動する。背もたれ支持構造体６４６は、ベース構造体６０６を内部に受け入れる内部スペース６５６を画定するようにアーム部分６４８と協働する後部６５４を含む。背もたれ支持構造体６４６は、その長さに沿って位置付けられるとともに回動点６６０を画定するように協働する一対の回動孔６５８を更に含む。なお、特定の場合、背もたれフレーム組立体１５０の少なくとも一部を背もたれ支持構造体６４６の一部として含めることができる。
【００４２】
制御組立体１４は、回動点６４４を中心に回動するように一対の回動ピン６６８によって座部支持構造体６２６に回動可能に連結される第１の端６６４、及び、回動点６６０を中心に回動するように一対の回動ピン６７２によって背もたれ支持構造体６４６の対応する回動孔６５８に回動可能に連結される第２の端６７０をそれぞれ有する、複数の制御リンク６６２を更に含む。動作時に、制御リンク６６２は、動き、具体的には、椅子組立体が後述するようにリクライニング位置に移動するときの背もたれ支持構造体６４６に対する座部支持構造体６２６のリクライニング速さを制御する。
【００４３】
図４０Ａ及び図４０Ｂに最も良く示されているように、背もたれフレーム組立体１５０の底部フレーム部分１５４が、迅速接続構成６７４を介して背もたれ支持構造体６４６に接続されるように構成されている。背もたれ支持構造体６４６の各アーム部分６４８は、その近位端６７８に位置する取り付け孔６７６を含む。図示の例では、迅速接続構成６７４は、内部にアーム部分６４８の後部６５４及び近位端６７８を受け入れるチャネル６８２を間に画定するように協働する、一対の前方に延びるカプラ部分６８０を含むよう、背もたれフレーム組立体１５０の底部フレーム部分１５４の構成を含む。各カプラ部分６８０は、対応する孔６７６と位置合わせされるとともに対応する孔６７６内に受け入れられる下方に延びるボス６８４を含む。次に、ねじ６８６等の機械的締結具を、ボス６８４にねじ込むことで、背もたれフレーム組立体１５０を制御組立体１４に迅速接続することを可能にする。
【００４４】
図４１に最も良く示されているように、ベース構造体６０６、座部支持構造体６２６、背もたれ支持構造体６４６及び制御リンク６６２は、座部組立体１６、背もたれ組立体１８及びアーム組立体２０を支持する四節回転機構組立体を形成するように協働する。参照を容易にするために、制御組立体１４の四節回転機構組立体に関連付けられる関連する回動組立体は以下のように称される：第１の回動点６２０としての、ベース構造体６０６とベース支持構造体６２６との間の上側かつ前方の回動点６２０；第２の回動点６２２としての、ベース構造体６０６と背もたれ支持構造体６４６との間の下側かつ前方の回動点６２２；第３の回動点６４４としての、制御リンク６６２の第１の端６６４と座部支持構造体６２６との間の回動点６４４；及び、第４の回動点６６０としての、制御リンク６６２の第２の端６７０と背もたれ支持構造体６４６との間の回動点６６０。さらに、図４１は、破線でリクライニング位置に示されている椅子組立体１０の構成要素を示しており、リクライニング位置にある椅子の参照符号は「'」を付して示される。
【００４５】
動作時に、制御組立体１４の四節回転機構組立体は、背もたれ組立体１８が直立位置Ｅからリクライニング位置Ｆに移動すると、座部組立体１６を直立位置Ｇからリクライニング位置Ｈにリクライニングさせるように協働する。具体的には、制御リンク６６２は、背もたれ支持構造体６４６が第２の回動点６２２を中心に回動すると、座部支持構造体６２６を第１の回動点６２０を中心に回転させるように構成されているとともに、座部支持構造体６２６及び背もたれ支持構造体６４６に連結されている。好ましくは、座部支持構造体６４６は、第２の回動点６２２を中心とする背もたれ支持構造体６４６の回転の速さの約１／３〜約２／３で第１の回動点６２０を中心に回転し、より好ましくは、座部支持構造体は、第２の回動点６２２を中心とする背もたれ支持構造体６４６の回転の速さの約半分で第１の回動点６２０を中心に回転し、最も好ましくは、座部組立体１６は、完全に直立した位置Ｇから完全にリクライニングした位置Ｈに約９°の角度βだけリクライニングし、一方で、背もたれ組立体１８は、完全に直立した位置Ｅから完全にリクライニングした位置Ｆに約１８°の角度αだけリクライニングする。
【００４６】
図４１に最も良く示されているように、第１の回動点６２０は、椅子組立体１０が完全に直立した位置にあるときは第２の回動点６２２の上及び前方に位置し、椅子組立体１０がリクライニングすると、椅子組立体１０が完全にリクライニングした位置にあるときは、ベース構造体６０６は支持床面１３に対して固定されたままである。第３の回動点６４４は、椅子組立体１０のリクライニング移動を通じて第１の回動点６２０の相対的な鉛直高さの後ろ及び下方に留まる。さらに、第１の回動点６２０と第２の回動点６２２との間の距離は、椅子組立体１０のリクライニング移動を通じて、第３の回動点６４４と第４の回動点６６０との間の距離よりも長いことが留意される。図４２に最も良く示されているように、制御リンク６６２の長手方向に延びる中心線軸６８８は、椅子組立体１０が完全に直立した位置にあるときは座部支持構造体６２６と鋭角αを形成し、椅子組立体１０が完全にリクライニングした位置にあるときは鋭角α'を形成する。なお、制御リンク６６２の中心線軸６８８は、椅子組立体１０がその完全に直立した位置と完全にリクライニングした位置との間で移動するときに、座部支持構造体６２６との直交する位置合わせを通過して回転しない。
【００４７】
図４３を更に参照すると、背もたれ制御リンク６００は、第５の回動点６８９において座部支持構造体６２６に回動可能に接続されている前端６８７を含む。背もたれ制御リンク６００の後端６９０が、第６の回動点６９２において背もたれシェル１６４の下側部分１６８に接続される。第６の回動点６９２は任意選択的であり、背もたれ制御リンク６００及び背もたれシェル１６４は互いに堅く固定することができる。また、回動点６９２は、第１の回転方向及び／又は第２の回転方向への背もたれシェル１６４に対する背もたれ制御リンク６００の回転を制限する停止特徴部を含むことができる。例えば、図４３を参照すると、回動点６９２は、制御リンク６００に対する背もたれシェル１６４の下側部分１６８の時計回りの回転を可能にする停止特徴部を含むことができる。これは、寸法Ｄ１を低減する傾向にある後方／水平の力が背もたれシェル１６４の腰部部分に印加される場合に、腰部がより平坦になることを可能にする。しかし、停止特徴部は、制御リンク６００に対する反時計回り方向（図４３）への背もたれシェル１６４の下側部分１６８の回転を防止するように構成することができる。これによって、使用者が背もたれ組立体１８の上側部分に対して押圧することによって椅子をリクライニングするときに、リンク６００及び背もたれシェル１６４の下側部分１６８が同じ角速度で回転する。
【００４８】
カムリンク６９４も回動点又は軸６８９を中心に回転するように座部支持構造体６２６に回動可能に接続される。カムリンク６９４は、背もたれ支持構造体６４６に形成される上方に面するカム面６９８に摺動可能に係合する湾曲した下側カム面６９６を有する。一対のねじりばね７００（図４８）が、背もたれ制御リンク６００及びカムリンク６９４を、角度φを増す傾向にある方法で回転可能に付勢する（図４３）。ねじりばね７００は、制御リンク６００を反時計回り方向（図４３）に回転させると同時にカムリンク６９４を時計回り方向（図４３）に回転させる傾向にある力を生成する。したがって、ねじりばね７００は、背もたれ制御リンク６００とカムリンク６９４との間の角度φを増す傾向にある。座部支持構造体６２６の止め部７０２が、背もたれ制御リンク６００の反時計回りの回転を図４３に示されている位置に制限する。この力は、制御リンク６００を反時計回り方向に付勢し、停止特徴部に入れることもできる。
【００４９】
上記で説明したように、背もたれシェル１６４は、特に剛性の背もたれフレーム構造体１５０と比較して可撓性である。同様に上記で説明したように、背もたれフレーム構造体１５０は背もたれ支持構造体６４６に堅く接続され、したがって、背もたれ支持構造体６４６とともに回動する。ねじりばね７００によって生成される力は、背もたれシェル１６４の下側部分１６８に対して上方に押圧する。背もたれシェル構造体１６４のスロット１８４は、背もたれシェル１６４の腰部支持部分１８２において付加的な可撓性を生じる。ねじりばね７００によって生成される力はまた、背もたれシェル１６４の腰部部分１８２を前方に曲げさせる傾向にあり、それによって、腰部部分１８２は、腰部部分１８２に隣接する領域よりも大きい曲率を有する。
【００５０】
上記で説明したように、腰部組立体２４６の位置は鉛直方向に調整可能である。腰部組立体２４６の鉛直方向の調整によって、椅子の背もたれをリクライニングする間に背もたれシェル１６４が撓む／湾曲するやり方も調整される。図４３では、腰部組立体１８２は、中間又は中立位置に調整されており、それによって、背もたれシェル１６４の腰部部分２４６の曲率も中間又は中立にある。図４４を更に参照すると、腰部組立体２４６の鉛直位置が調整される場合、角度φが減り、腰部領域１８２の曲率が低下する。図４４に示されているように、これによって、角度φ１も大きくもなり、背もたれシェル１６４の全体的な形状が比較的平坦になる。
【００５１】
図４５を更に参照すると、腰部組立体２４６の高さが中間のレベルに設定される（すなわち図４３と同じ）であり、使用者が背もたれに寄り掛かる場合、リンク及び構造体６０６、６２６、６４６、６６２並びに回動点６２０、６２２、６４４、６６０によって画定される四節回転機構は、図４３の形態から図４５の形態に（上述したように）シフトする。これによって更に、回動点６８９とカム面６９８との間の距離が増大する。これによって、角度φが約４９．５°（図４３）から約５９．９°（図４５）に増える。ばねが開位置に向かって回転すると、ばねに蓄えられたエネルギーの幾らかが背もたれシェル１６４に伝達されることで、背もたれシェル１６４の腰部部分１６８の曲率の程度が大きくなる。このように、背もたれ制御リンク６００、カムリンク６９４及びねじりばね７００は、使用者が椅子の背もたれに寄り掛かると、使用者の背中の曲率を減らすように腰部部分１８２のより大きい曲率を提供する。
【００５２】
また、椅子が図４３の位置から図４５の位置に傾くと、腰部部分１８２と座部１６との間の距離Ｄが１７４ｍｍから２３４ｍｍに増大する。背もたれシェル１６４の腰部部分１８２と背もたれフレーム構造体１５０との間の寸法Ｄ１も、背もたれが図４３の位置から図４５の位置に傾くと増大する。したがって、距離Ｄは幾分増大するが、背もたれシェル１６４の腰部部分１８２がリクライニング中に背もたれフレーム１５０に対して前方にシフトするため、寸法Ｄ１の増大によって寸法Ｄの増大を低減する。
【００５３】
図４３を再び参照すると、着座した使用者７０６の脊柱７０４は、使用者が直立姿勢で着座すると、第１の量だけ腰部領域７０８において前方に湾曲する傾向にある。使用者が図４３の位置から図４５の位置に背もたれに寄り掛かると、腰部領域７０８の曲率は増大する傾向にあり、使用者の脊柱７０４も、使用者の大腿骨７１２に対して股関節７１０の周りで幾分回転する。寸法Ｄの増大、及び、背もたれシェル１６４の腰部領域又は部分１８２の曲率の増大は同時に、使用者の股関節７１０及び大腿骨７１２が座部１６上で滑らず、使用者の脊柱７０４の腰部領域７０８の曲率にも対応することを確実にする。
【００５４】
上記で説明したように、図４４は、シェル１６４の腰部領域１８２が平坦な位置に調整された状態の、直立位置にある椅子の背もたれを示している。椅子の背もたれが図４４の位置から図４６の位置に傾けられると、背もたれ制御リンク６００及びカムリンク６９４の双方が時計回り方向に回転する。しかし、カムリンク６９４は幾分より速い速さで回転し、したがって、角度φは３１．４°から３５．９°に変化する。距離Ｄは、２０２ｍｍから２６５ｍｍに変化し、角度φ１は２４．２°から２４．１°に変化する。
【００５５】
図４７を更に参照すると、椅子の背もたれがリクライニングし、腰部の調整が高く設定されている場合、角度φは９３．６°であり、距離Ｄは２０２ｍｍである。
【００５６】
したがって、背もたれシェル１６４は、シートの背もたれが後方に傾くにつれて湾曲する。しかし、直立からリクライニング位置への腰部領域１８２の曲率の増大は、曲率が最初により高いレベルに調整される場合にはかなり大きくなる。これは、使用者の背中が直立に着座するときに最初は比較的平坦な状態にある場合に使用者がリクライニングすると、使用者の背中の曲率が大きくは増大しないことを考慮するものである。言い換えると、使用者の背中は、直立姿勢にあるときに比較的真っ直ぐである場合、曲率の程度が直立位置からリクライニング位置に幾分増大するにもかかわらず、リクライニングするときでさえも比較的平坦なままである。逆に、使用者の背中が直立姿勢にあるときにかなり湾曲している場合、腰部領域の曲率は、使用者の背中が最初に比較的平坦である場合の曲率の増大に対して、使用者がリクライニングするにつれてより大きく増大する。
【００５７】
一対のばね組立体７１４（図３７〜図３９）が、背もたれ組立体１８をリクライニング位置Ｆから直立位置Ｅに向かって付勢する。図３９に最も良く示されているように、各ばね組立体７１４は、第１の端７１８及び第２の端７２０を有する円筒形状のハウジング７１６を含む。各ばね組立体７１４は、圧縮コイルばね７２２、第１のカプラ７２４及び第２のカプラ７２６を更に含む。図示の例では、第１のカプラはハウジング７１６の第１の端７１８に固定され、一方で、第２のカプラ７２６は、コイルばね７２２を通って延びるロッド部材７２８に固定されている。ワッシャ７３０がロッド部材７２８の遠位端に固定されてコイルばね７２２の端に当接し、一方で、コイルばね７２２の反対端はハウジング７１６の第２の端７２０に当接する。第１のカプラ７２４は、回動点７３４を中心に回動するように回動ピン７３２によって背もたれ支持構造体６４６に回動可能に固定され、回動ピン７３２は背もたれ支持構造体６４６の回動孔７３６内に受け入れられ、一方で、第２のカプラ７２６は、回動点７４２を中心に回動するように軸７４０によってモーメントアームシフト組立体７３８に回動可能に連結される。モーメントアームシフト組立体７３８は、付勢又はばね組立体７１４を低張力設定から高張力設定に移動させるようになっており、付勢組立体７１４によって背もたれ組立体１８に加えられる力は、低張力設定に対して増大する。
【００５８】
上記の記載では、概念が開示されるときにこの概念から逸脱することなく本発明に対して変更を行うことができることが当業者には容易に理解されるであろう。そのような変更は、以下の特許請求の範囲においてそれらの文言によって別途明記されない限り、それらの特許請求の範囲に含まれるものとみなされるべきである。
【図１】
2018153686.tif 000003
【図２】
2018153686.tif 000004
【図３】
2018153686.tif 000005
【図４】
2018153686.tif 000006
【図５】
2018153686.tif 000007
【図６】
2018153686.tif 000008
【図７】
2018153686.tif 000009
【図８】
2018153686.tif 000010
【図９】
2018153686.tif 000011
【図１０】
2018153686.tif 000012
【図１１】
2018153686.tif 000013
【図１２Ａ】
2018153686.tif 000014
【図１２Ｂ】
2018153686.tif 000015
【図１３】
2018153686.tif 000016
【図１４】
2018153686.tif 000017
【図１５】
2018153686.tif 000018
【図１６Ａ】
2018153686.tif 000019
【図１６Ｂ】
2018153686.tif 000020
【図１７】
2018153686.tif 000021
【図１８Ａ】
2018153686.tif 000022
【図１８Ｂ】
2018153686.tif 000023
【図１９Ａ】
2018153686.tif 000024
【図１９Ｂ】
2018153686.tif 000025
【図２０】
2018153686.tif 000026
【図２１】
2018153686.tif 000027
【図２２Ａ】
2018153686.tif 000028
【図２２Ｂ】
2018153686.tif 000029
【図２２Ｃ】
2018153686.tif 000030
【図２２Ｄ】
2018153686.tif 000031
【図２３】
2018153686.tif 000032
【図２４Ａ】
2018153686.tif 000033
【図２４Ｂ】
2018153686.tif 000034
【図２４Ｃ】
2018153686.tif 000035
【図２４Ｄ】
2018153686.tif 000036
【図２４Ｅ】
2018153686.tif 000037
【図２４Ｆ】
2018153686.tif 000038
【図２４Ｇ】
2018153686.tif 000039
【図２４Ｈ】
2018153686.tif 000040
【図２５】
2018153686.tif 000041
【図２６】
2018153686.tif 000042
【図２７】
2018153686.tif 000043
【図２８】
2018153686.tif 000044
【図２９】
2018153686.tif 000045
【図３０】
2018153686.tif 000046
【図３１】
2018153686.tif 000047
【図３２】
2018153686.tif 000048
【図３３】
2018153686.tif 000049
【図３４】
2018153686.tif 000050
【図３５Ａ】
2018153686.tif 000051
【図３６】
2018153686.tif 000052
【図３７】
2018153686.tif 000053
【図３８】
2018153686.tif 000054
【図３９】
2018153686.tif 000055
【図４０Ａ】
2018153686.tif 000056
【図４０Ｂ】
2018153686.tif 000057
【図４１】
2018153686.tif 000058
【図４２】
2018153686.tif 000059
【図４３】
2018153686.tif 000060
【図４４】
2018153686.tif 000061
【図４５】
2018153686.tif 000062
【図４６】
2018153686.tif 000063
【図４７】
2018153686.tif 000064
【図４８】
2018153686.tif 000065
【図４９】
2018153686.tif 000066
【図５０】
2018153686.tif 000067
【図５１】
2018153686.tif 000068
【図５２】
2018153686.tif 000069
【図５３】
2018153686.tif 000070
【図５４】
2018153686.tif 000071
【図５５】
2018153686.tif 000072
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
椅子の背もたれ組立体であって：
横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェル部材であって、前記背もたれシェル部材の腰部部分が着座した使用者の腰部領域に位置する、背もたれシェル部材；
着座した使用者を支持するようになっている第１の面、及び、該第１の面とは反対の第２の面を有するカバーであって、前記背もたれシェル部材に対して位置決めされて前記開口スペースの少なくとも一部を覆う、カバー、並びに
前記背もたれシェル部材を動作可能に支持するとともに直立位置とリクライニング位置との間で移動可能である背もたれフレーム組立体であって、前記背もたれシェル部材にかかる外力とは関係なく前記背もたれフレーム組立体が前記直立位置とリクライニング位置との間で動くと、前記背もたれフレーム組立体によって前記背もたれシェルが前後方向に曲がり、前記背もたれフレームが前記直立位置とリクライニング位置との間で動くとき、前記背もたれシェル部材の前記腰部部分は、前記背もたれフレームから離れたままである、背もたれフレーム組立体
を備える、椅子の背もたれ組立体。
【請求項２】
前記カバーはメッシュ生地を含む、請求項１に記載の椅子の背もたれ組立体。
【請求項３】
前記背もたれシェル部材の腰部領域が、前記背もたれフレーム組立体が前記直立位置と前記リクライニング位置との間で移動すると、前後方向に移動する、請求項１に記載の椅子の背もたれ組立体。
【請求項４】
前記カバーは前記背もたれシェル部材にわたって伸張する、請求項１に記載の椅子の背もたれ組立体。
【請求項５】
前記カバーは、前記背もたれシェル部材にわたって位置決めされて前記開口スペースの少なくとも一部を覆う、請求項１に記載の椅子の背もたれ組立体。
【請求項６】
請求項１の椅子の背もたれ組立体を含む、椅子組立体。
【請求項７】
前記着座構成は、オフィスの椅子組立体を含む、請求項６に記載の着座構成。
【請求項８】
椅子の背もたれ組立体であって：
横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェル部材であって、前記背もたれシェル部材の腰部部分が着座した使用者の腰部領域に位置する、背もたれシェル部材；
着座した使用者を支持するようになっている第１の面、及び、該第１の面とは反対の第２の面を有するカバーであって、前記背もたれシェル部材にわたって位置決めされて前記開口スペースの少なくとも一部を覆う、カバー、並びに
前記背もたれシェル部材を動作可能に支持するとともに直立位置とリクライニング位置との間で移動可能である背もたれフレーム組立体であって、前記背もたれシェル部材にかかる外力とは関係なく前記背もたれフレーム組立体が前記直立位置とリクライニング位置との間で動くと、前記背もたれフレーム組立体によって前記背もたれシェルが前後方向に曲がり、前記背もたれフレームがリクライニング位置にあるとき、前記背もたれシェル部材の前記腰部部分は、前記背もたれフレームから離れている、背もたれフレーム組立体
を備える、椅子の背もたれ組立体。 
【請求項９】
前記カバーはメッシュ生地を含む、請求項８に記載の椅子の背もたれ組立体。
【請求項１０】
前記背もたれシェル部材の腰部領域が、前記背もたれフレーム組立体が前記直立位置と前記リクライニング位置との間で移動すると、前後方向に移動する、請求項８に記載の椅子の背もたれ組立体。
【請求項１１】
前記カバーは前記背もたれシェル部材にわたって伸張する、請求項８に記載の椅子の背もたれ組立体。
【請求項１２】
前記カバーは、前記背もたれシェル部材にわたって位置決めされて前記開口スペースの少なくとも一部を覆う、請求項８に記載の椅子の背もたれ組立体。
【請求項１３】
請求項１２の椅子の背もたれ組立体を含む、椅子組立体。
【請求項１４】
椅子の背もたれ組立体であって：
横方向に延びる上部、横方向に延びる底部、並びに、前記上部と前記底部との間に延びるとともに該上部及び該底部と協働してそれらの間に開口スペースを画定する、一対の長手方向に延びる側部を含む、背もたれシェル部材であって、前記背もたれシェル部材の腰部部分が着座した使用者の腰部領域に位置する、背もたれシェル部材；
着座した使用者を支持するようになっている第１の面、及び、該第１の面とは反対の第２の面を有するカバーであって、前記背もたれシェル部材に対して位置決めされて前記開口スペースの少なくとも一部を覆う、カバー、並びに
前記背もたれシェル部材を動作可能に支持するとともに直立位置とリクライニング位置との間で移動可能である背もたれフレーム組立体であって、前記背もたれシェル部材にかかる外力とは関係なく前記背もたれフレーム組立体が前記直立位置とリクライニング位置との間で動くと、前記背もたれフレーム組立体によって前記背もたれシェルが前後方向に曲がり、前記背もたれフレームは、前記背もたれシェルの前記腰部部分の上に位置する第１の位置、及び前記背もたれシェルの前記腰部部分の下に位置する第２の位置で、前記背もたれシェル部材に接続される、背もたれフレーム組立体
を備える、椅子の背もたれ組立体。
【請求項１５】
前記背もたれフレームが前記直立位置とリクライニング位置との間で動くとき、前記背もたれシェル部材の前記腰部部分は、前記背もたれフレームから離れたままである、請求項１４に記載の椅子の背もたれ組立体。
【請求項１６】
前記カバーはメッシュ生地を含む、請求項１４に記載の椅子の背もたれ組立体。
【請求項１７】
前記背もたれシェル部材の腰部領域が、前記背もたれフレーム組立体が前記直立位置と前記リクライニング位置との間で移動すると、前後方向に移動する、請求項１４に記載の椅子の背もたれ組立体。
【請求項１８】
前記カバーは前記背もたれシェル部材にわたって伸張する、請求項１４に記載の椅子の背もたれ組立体。
【請求項１９】
請求項１４の椅子の背もたれ組立体を含む、椅子組立体。
【請求項２０】
請求項１９の椅子の背もたれ組立体を含む、椅子組立体。